(57)【要約】【課題】内反小趾を防止し得る、靴の中敷き及び当該中敷きを有する靴を実現する。【解決手段】小指被当接部分１は、人の足が中敷き１０の表面１０ＵＳに載せられた際に足の小指部分が当接することとなる表面１０ＵＳの一部分であり、土踏まず部分２の一端部２Ｐから爪先部１０Ｔまでの爪先側領域１０Ａ内の、左右一方のサイド側に位置して爪先部１０Ｔに向けて内側に湾曲している外縁１０ＯＳＣ寄りに位置する部分である。この小指被当接部分１は、その周囲部分よりも凸状に盛り上がっている。プラスチック等の合成樹脂体４は、小指被当接部分１に対向する裏面１０ＬＳの部分及び当該部分に繋がった側面１０ＳＳの部分に固設されている。この中敷き１０を備える靴の小指被当接部分１に対向するアッパーの部分は、その他の部分よりも、より一層に伸長する構造を有する。【選択図】図３
0003200592.tif 000002
【実用新案登録請求の範囲】
【請求項１】
靴の中敷きであって、
１）人の足が載せられる前記中敷きの表面の内で、
前記足の土踏まずに対応する土踏まず部分の前記中敷きの爪先部側の一端部から前記中敷きの前記爪先部までの爪先側領域内の、前記表面の正面視に於いて左右一方のサイドに位置する部分であって、且つ、前記足が前記表面に載せられた際に前記足の小指部分が当接することとなる、前記爪先部に向けて内側に湾曲している外縁寄りに位置する小指被当接部分が、
前記小指被当接部分の周囲部分よりも凸状に盛り上がっていると共に、
２）前記表面に対向する前記中敷きの裏面の内で前記表面の前記小指被当接部分に対向する部分上に固設された合成樹脂体を備える
ことを特徴とする、中敷き。
【請求項２】
請求項１に記載の中敷きであって、
前記合成樹脂体は、前記裏面に固設された部分から前記中敷きの側面の部分にまで延在して固設されている
ことを特徴とする、中敷き。
【請求項３】
請求項１又は２に記載の前記中敷きが中底に配設される靴であって、
前記靴のアッパーは、少なくとも、
前記中敷きの前記表面の前記小指被当接部分に対応する部分であって、且つ、前記アッパーのその他の部分よりも、外側に向けて、より一層伸びるストレッチ構造を有する伸長部分を備える
ことを特徴とする、靴。
【考案の詳細な説明】
【技術分野】
【０００１】
この考案は、女性用又は男性用の靴に適用可能な中敷き及び当該中敷きが適用される靴（短靴、深靴又は長靴等）に関する。
【背景技術】
【０００２】
ハイヒールの靴が履かれていた時代に於いては、足の爪先側部分、特に親指側に体重を支える負担が加わるために、外反母趾に悩まされる人が多かったが、ヒール高さが３ｃｍ〜４ｃｍ以下のローヒールの靴が履かれている昨今では、当該靴を履いている足の状態は所謂「偏平足」ないしは「ベタ足」に近い状態となるので、逆に、内反小趾に悩まされる人が増えている。ここで、「内反小趾」とは、足の小指（小趾）が内側に曲がって変形することをいうが、この内反小趾は、足の第５中足骨が湾曲している場合、第４中足骨と第５中足骨との間隔が過度に開いている場合、又は、第５中足骨頭が幅広くて内反小趾角が過度に大きくなっている場合等に、起こり易いと、言われている。この様な内反小趾が足の小指部に発生した状態で靴を履き続けていると、小指の付け根部分或いは第５中足骨頭が腫れ上がって痛くなる症状が生じる場合が起きる。
【０００３】
内反小趾により小指の第５中足骨頭等が腫れ上がって痛みを伴うこととなった場合には、自分の足にあった幅広の靴を選択して履く対処を行う、小指の第５中足骨頭等にパッドを貼付する、或いは、外科的処置を行う等々の対策が採られているが、根本的には、その様な内反小趾の発生を未然に防止することが重要である。その意味で、内反小趾の発生を確実に防止し得る靴の実現が待たれるところであり、その要望に対処するために、内反小趾対策用の種々の靴ないしは履物が、提案されている（特許文献１ないし特許文献７を参照。）。
【先行技術文献】
【特許文献】
【０００４】
【特許文献１】特開２０１４−２２６２３０号公報
【特許文献２】特開２０１１−２２４１８０号公報
【特許文献３】特開２００９−０４５２１３号公報
【特許文献４】特開２００９−０４５２１２号公報
【特許文献５】特開２００２−１６５６１１号公報
【特許文献６】特許第５２７７４７８号公報
【特許文献７】特許第４３７４４２４号公報
【考案の概要】
【考案が解決しようとする課題】
【０００５】
しかし、上記の特許文献１ないし特許文献７に於いて提案されている靴、靴の中敷き、又は履物等は、構造が複雑であり、しかも、内反小趾専用対策用品ではなくて例えば外反母趾対策等の種々の問題点対策をも兼ね備えている関係上から効果が限定的であるため、靴を履く者にとって簡易に靴として利用することが出来てしかも内反小趾の防止に対して有効な作用・効果を呈する靴又は靴の中敷きないしは履物とは言い難い。
【０００６】
この様な、靴を履くことによって生じ得る内反小趾の有効防止という問題点は、中高年用に適した靴のみならず、何れの世代の人の靴についても生じ得る問題点であるとも言え、又、女性用靴又は男性用靴の性別如何に拘わらず、且つ、靴の種類如何に拘わらず、靴及び中敷きの構造に伴い、一般的に発生し得る問題点であると、言える。
【０００７】
この考案は、以上の問題点の認識に鑑みて成されたものであり、その主たる目的は、簡易な構造を以って内反小趾を確実に有効に防止し得る靴用の中敷き及び当該中敷きを有する靴を提供することにある。
【０００８】
また、本考案の副次的な目的の一つは、靴を履いている際に靴の中で足の小指が動くことによる履き心地の悪さ及び歩行のしづらさを改善して足の小指の靴内の位置を安定化させることにある。
【課題を解決するための手段】
【０００９】
本考案の主題に係る中敷きは、靴の中敷きであって、１）人の足が載せられる前記中敷きの表面の内で、前記足の土踏まずに対応する土踏まず部分の前記中敷きの爪先部側の一端部から前記中敷きの前記爪先部までの爪先側領域内の、前記表面の正面視に於いて左右一方のサイドに位置する部分であって、且つ、前記足が前記表面に載せられた際に前記足の小指部分が当接することとなる、前記爪先部に向けて内側に湾曲している外縁寄りに位置する小指被当接部分が、前記小指被当接部分の周囲部分よりも凸状に盛り上がっていると共に、当該中敷きは、２）前記表面に対向する前記中敷きの裏面の内で前記表面の前記小指被当接部分に対向する部分上に固設された合成樹脂体を備えることを特徴とする。
【００１０】
しかも、本考案の主題の第２の構成に係る中敷きに於いては、合成樹脂体は、前記裏面に固設された部分から前記中敷きの側面の部分にまで延在して固設されている。
【考案の効果】
【００１１】
１）本考案の主題に係る中敷きによれば、人の足が当該中敷きの表面上に載せられる場合には、足の小指部分は、周囲よりも凸状に盛り上がっている小指被当接部分に当接することとなる。そのため、足の小指部分は、隣の薬指の下に潜り込んで曲がってしまうことはなく、中敷きの表面に対して上方に持ち上がって、ほぼ真っ直ぐに延びた状態ないしは薬指に対して開いた状態で、小指被当接部分に当接することとなる。その際、人の体重により押圧が足裏を介して中敷きの表面に加わることで、足の小指部分が凸状に盛り上がった小指被当接部分を押そうとしても、中敷きの材料よりも比較的に硬い合成樹脂体（例えばプラスチック等）からの反発力を受けて、当該押圧は上記反発力により相殺・抑圧されてしまう。その結果、人の足が当該中敷きの表面上に載っている間中、足の小指部分は、中敷きの表面に対して沈み込んでしまうことなく、しかも、薬指側に折れ曲がることなく、ほぼ真っ直ぐに延びつつ、中敷きの表面に対して上方に持ち上がった状態を保持することとなる。即ち、足の小指部分に於ける小指の付け根部分、或いは、当該付け根部分及び第５中足骨頭は、折れ曲がって外側に突出する状態とはなりにくくなり、その反面、中敷きの表面に対して上方にやや持ち上がった状態となり、その結果、靴の甲皮の外側部分との接触が緩和される。
【００１２】
このために、本中敷きは、当該中敷きが中底に敷かれた靴を人が履いている場合に、当該人の足の小指部分が内反小趾となることを防止し得る効果を奏する。
【００１３】
２）更に、本考案の主題の第２構成に係る中敷きによれば、中敷きの裏面の内の小指被当接部分に対応する部分のみならず、同部分から中敷きの側面の部分にまで亘って、プラスチック等の合成樹脂体が固設されている。即ち、足の小指部分が中敷きの表面に当接する部分に於ける中敷きの「横サイド部分」の上に、局所的に、合成樹脂体が設けられている。このため、中敷きの表面の小指被当接部分に当接している足の小指部分が歩行中に左右にずれて動こうとしても、その左右の移動による中敷きの横サイド部分への押圧は、その下方に固設されている合成樹脂体からの反発力を受けて相殺される。その結果、足の小指部分は、左右に、特に外側に向けて沈み込むことなく、小指被当接部分に安定して当接した状態を保持し得ることとなる。
【００１４】
よって、歩行中に於ける、靴内での足の小指部分の位置は、不動状態で安定することとなり、足の小指部分が靴のアッパーの外側（小指側）寄りの部分と不必要に接触して圧迫されることが、回避され得る。
【００１５】
この点でも、第２構成に係る本中敷きは、人の足の小指部分が内反小趾となることをより一層に防止し得る効果を奏する。
【００１６】
以下、本考案の様々な具体化を、添付図面を基に、その効果・利点と共に、詳述する。
【図面の簡単な説明】
【００１７】
【図１】本考案の実施の形態１に係る中敷きの表面の構成を模式的に示す平面図である。
【図２】本考案の実施の形態１に係る中敷きの裏面の構成を模式的に示す平面図である。
【図３】本考案の実施の形態１に係る中敷きの側面の構成を模式的に示す側面図である。
【図４】本考案の実施の形態１に係る中敷きを備えた実施の形態２に係る靴の表面側の構成を模式的に示す平面図である。
【図５】本考案の実施の形態２に係る靴のアッパー（甲部）の各甲部材（ストレッチ素材）を縫合する際の工程を模式的に示す図である。
【考案を実施するための形態】
【００１８】
（本考案に係る中敷きの着眼点及び特徴点）
足が所謂「ベタ足」の状態で人が靴を履いている場合に内反小趾が生じる要因として、次の点が考えられる。即ち、小指側の第５中足骨が湾曲した状態或いは過度に開いた状態にある、又は、第５中足骨頭が過度に大きいという状態にある人の足の特質に基づき、靴の小指側の外縁寄りのアッパー部分が靴内部で小指に対して窮屈な空間を成すために、小指が薬指の下に潜り込む状態となってしまい、その結果、小指が内側に曲がって変形した状態が、靴を履いている間中、生じていることが、内反小趾発生の要因と考えられる。
【００１９】
斯かる観点を踏まえるならば、その様な小指が薬指の下に潜り込む状態を回避可能とするならば、内反小趾の発生を抑止することが出来ると、思われる。
【００２０】
そこで、中敷きの足が載る表面側に於いて、小指が当接する表面部分をその周囲よりも凸状に盛り上げると共に、中敷きの盛り上がり状態が靴を履いている際に生じる荷重によって横に広がって沈み込んで無くなってしまうことを、中敷きの裏面側に固設した、中敷き素材よりも硬い素材、即ち、一例として、合成樹脂体（プラスチック等）で防止する。この様な構造を有する中敷きの実現により、靴を履いている間中、小指は、上方に持ち上げられつつ、ほぼ真っ直ぐに延びた状態を保つこととなり、小指が内側に曲がって変形することが格段に防止される。
【００２１】
その様な中敷きの構成の改善は、本考案が認識し指摘した上記問題点を解決することが出来る。
【００２２】
しかも、本考案者は、上記の合成樹脂体が、中敷き表面側の凸状の盛り上がり部分に対向する中敷きの裏面の部分から、中敷きの側面の一部分にまで亘って延在・固設された構成を、提案する。この様な「合成樹脂体」の追加的固設により、中敷きが本来的に持つクッション性（沈み込み性）による履き心地の良さを維持しつつ、中敷きが敷かれた靴を履いた際に靴の中で歩行者の足の小指部分が左右に揺れて動くのを効果的に防止することが可能となる。
【００２３】
ここで、本考案でいう「足の小指部分」とは、小指の指先から当該小指の付け根部分までの部分、或いは、更に延長して、小指の指先から当該小指の第５中足骨頭までの部分であると、定義する。
【００２４】
その上で、足の小指が靴内で外側に向けて落ち込むことなく安定した水平移動状態を保ち、且つ、小指がほぼ真っ直ぐに延びて上方に持ち上がった状態にある場合には、小指が外側に向けて横にほぼ水平にずれて移動し易くなるため、小指が楽に外側へ横ずれ出来る様にする観点から、靴の小指部分に該当するアッパーの部分を周囲部分よりも延びるストレッチ構造を採ることも、提案する。この着眼点を踏まえた特徴点により、足の小指の付け根部分又は第５中足骨頭の部分がアッパーの裏側部分を接触して圧迫を受けて腫れ上がってしまう状態の発生を未然に防止し得ることになる。
【００２５】
以下、上記の着眼点を踏まえた上記特徴点を有する「中敷き」及びそれが中底に敷かれた靴の構成を、それぞれ、実施の形態１及び実施の形態２に於いて、添付の図面と共に、具体的に詳述する。
【００２６】
（実施の形態１）  ：靴の中敷き
＜中敷き１０の構成＞
図１は、本実施の形態に係る中敷き１０の、人の足が載せられる表面１０ＵＳを、その正面側より視認した場合の構成を模式的に示す平面図である。又、図２は、中敷き１０の表面１０ＵＳに対向する裏面１ＬＳの構成を模式的に示す平面図である。又、図３は、図１中の矢印ＡＲ１より中敷き１０を眺めた際の中敷きの側面１０ＳＳの構成を模式的に示す側面図である。
【００２７】
図１に於いて、参照符号２は、足の土踏まずに対応する、周囲よりも凸状に盛り上がった中敷きの土踏まず部分である。又、参照符号３は、足の踵側の外側部分に於ける内側に緩やかに湾曲した部分に対応する、周囲よりも凸状に盛り上がった中敷きの踵側外縁部分である。土踏まず部分２及び踵側外縁部分３は、図示の便宜上、凸状の盛り上がり状態を示すために、図１に於いては、共にハッチング表示されている。又、参照符号１０Ｔ及び１０Ｈは、それぞれ、足の爪先及び踵に対応する、中敷きの爪先部及び踵部である。
【００２８】
中敷き１０の表面１０ＵＳ側の特徴的構成部分は、凸状の盛り上がり状態を示すために同様にハッチング表示されている、小指被当接部分１である。この小指被当接部分１は、図３に例示される様に、小指被当接部分１の周囲部分よりも、局所的に、凸状に盛り上がっている（クッション性を有する。）。この小指被当接部分１の表面１０ＵＳ内での位置を特定記述すれば、次の通りとなる。即ち、小指被当接部分１は、土踏まず部分２の爪先部１０Ｔ側の一端部２Ｐから爪先部１０Ｔまでに至る爪先側領域１０Ａ内の、表面１０ＵＳの正面視に於いて左右一方のサイド（図１では、中敷き１０は右足用なので、右サイドに該当。）に位置する部分である。しかも、小指被当接部分１は、表面１０ＵＳと側面１０ＳＳとの境界線である外縁の内で、爪先部１０Ｔに向けて内側に湾曲している外縁１０ＯＳＣ寄りに位置する、足が表面１０ＵＳに載せられた際に足の上記小指部分が当接することとなる部分である。
【００２９】
これに対して、中敷き１０の裏面１０ＬＳ側及び側面１０ＳＳ側の特徴的構成は、中敷き１０の素材よりも硬い性質を有する合成樹脂体４の存在にある。即ち、図２及び図３に例示される様に、合成樹脂体４は、裏面１０ＬＳの内で、表面１０ＵＳ側の小指被当接部分１に全体的に対向する部分上に、固設されている。しかも、合成樹脂体４は、裏面１０ＬＳ側に固設された上記部分から更に側面１０ＳＳの一部分にまで延在して固設されている。
【００３０】
ここで、合成樹脂体４は、例えば、プラスチック（例：ＥＶＡ）より成り、その場合の製造方法としては、例えば、加熱下に於ける圧縮成形により中敷き本体１０の裏面１０ＬＳ及び側面１０ＳＳの上記の所定箇所上に固設される。或いは、その他の一例として、合成樹脂体４は、中敷き本体１の裏面１０ＬＳ及び側面１０ＳＳの上記の所定箇所上に、接着剤を介して接着されていても良い。
【００３１】
この様に、合成樹脂体４は、中敷き１０の裏面１０ＬＳの外縁寄り部分及び同部分に繋がる側面１０ＳＳの上記外縁寄り部分より成る中敷き１０の「横サイド部」上に、補強的に固設されている。このため、中敷き１０の裏面１０ＬＳ及び側面１０ＳＳの上記横サイド部は、局所的に左右に変形し難い硬い部分となっており、その横サイド部分に対応する中敷き１０の表面１０ＵＳの部分に足を載せても、足の小指が合成樹脂体４より反発を受けて沈み込まない部分を成している。
【００３２】
尚、合成樹脂体２がその裏面側に固設されている小指被当接部分１以外の中敷き１０表面１０ＵＳの部分は、依然として、同部に足を載せると足が沈み込む程度のクッション性を呈する。このクッション性を呈する、主として、中敷き１０の表面１０ＵＳの中央部分及び踵側領域の部分の存在により、中敷き１０が中底に敷かれた靴を履いている者は、靴の中の小指側部分を除いて、その他の部分に於いて、違和感を、感じ難くなる。この状態に於いて、靴を履いている者は、足の小指が左右への横ぶれを起こすことなく安定的に支持されている感覚を同時に体得する。
【００３３】
＜中敷き１０の使用時の機能＞
中敷き１０の使用時の機能ないしは特徴点を、図３を中心に参照しつつ、以下に記載する。図３に示す様に、クッション性を備えた中敷き１０の表面１０ＵＳの小指被当接部分１は、周囲よりも凸状に盛り上がっているので、同部１に当接した小指部分は、薬指側（内側）へ曲がることなく、上方へ持ち上げられる。その場合、人の体重による荷重によって、小指部分から、小指被当接部分１の凸状の盛り上がりを下方へ押さえつけて盛り上がりを平坦化しようとする押圧Ｆ１が、小指被当接部分１に加わる。しかしながら、小指被当接部分１の直下の裏面１０ＬＳの部分に固設されている合成樹脂体４は、クッション性のある中敷き１０の素材よりも格段に硬く、且つ、合成樹脂体４の上面４ＵＳは靴の中底に当接して当該中底より反作用の反発力を受けている。そのため、逆に、合成樹脂体４より表面１０ＵＳ側の小指被当接部分１に対して、押圧Ｆ１に対抗して当該押圧Ｆ１を抑圧してしまう反発力Ｆ４が加わる。その結果、押圧Ｆ１は反発力Ｆ４によって相殺ないしは吸収されて消滅し、小指被当接部分１は凹んでしまうことなく、依然として、凸状の盛り上がり状態を保持する。そのため、中敷き１０が中底に敷かれた靴を人が履いている間中、足の小指部分は、小指被当接部分１の凸状形状に沿って、薬指の下部へ向けて内側に曲がって変形すること無く、ほぼ真っ直ぐに伸びつつ、上方へ持ち上がった状態を保持している。これにより、小指部分が内側へ曲がって変形する内反小趾の発生を未然に防止し得る。
【００３４】
しかも、既述の通り、合成樹脂体４は、１）小指被当接部分１直下の裏面１０ＬＳの外側外縁寄り部分と２）そこから繋がった小指被当接部分１寄りの側面１０ＳＳの一部分とから成る領域、即ち、「横サイド部分」の上に固設されている。そのため、小指部分が横方向、特に外側へ靴中でずれて移動しても、「横サイド部分」の合成樹脂体４より反発力を受けるため、小指部分が外側へ向けて沈みこんで横方向へ移動することは確実に防止され、靴の中での小指部分の位置は安定化される。即ち、靴の中での小指部分の横ずれが確実に防止されて、小指部分側の中敷き１０の部分が安定的に靴の中で固定される。小指部分は、下方斜め側へ沈みこんでしまうことなく、ほぼ水平的に安定して横へ動き得る。このため、小指部分は、足の指の横への移動時に下方側に傾きつつ沈み込んだ不自然な変形状態で、靴のアッパーの対応部分の裏面に接触してしまうことが無くなり、その点で、「横サイド部分」の合成樹脂体４の存在は、内反小趾の発生をより一層に防止し得ることに寄与し得る。
【００３５】
尚、小指被当接部分１の形状については、それが凸状に盛り上がった構造を備えているのであれば、如何なる形状であっても良い。
【００３６】
又、合成樹脂体４の形状（特に平面視的形状）は、その固設位置が既述した通りであるならば、任意である。
【００３７】
（実施の形態２）  ：靴
＜靴５０の構成＞
図４は、実施の形態１で記載した中敷き１０が中底に敷かれた靴５０の表面側の構成を模式的に示す平面図である。即ち、図４は、靴５０の履き口６０の真上側から靴５０の構成を眺めたときの靴５０の平面構成を示している。図４に於いて、参照符号５０Ｔ，５０Ｈは、それぞれ、靴の爪先部及び踵部を示しており、参照符号１００は靴５０のアッパーないしは甲部を示す。又、参照符号１００Ｅ１，１００Ｅ２は、それぞれ、アッパー１００の底部との境界を成す外縁、及び、履き口６０の枠を形成する内縁である。
【００３８】
靴５０の特徴点は、アッパー１０の小指側部分に形成された伸長部分１００Ａ１にある。図４に示される通り、伸長部分１００Ａ１は、一点鎖線と外側の外縁１００Ｅ１とで囲まれたアッパー１０の局所的な部分である。この伸長部分１００Ａ１は、中敷き１０の小指被当接部分１に対応する部分であって、アッパー１００のその他の部分（但し、後述する伸長部分１００Ａ２を除く。）１００Ａ１Ｐよりも、外側に向けて、より一層伸びるストレッチ構造を有している。伸長部分１００Ａ１の所在位置をより厳密に定義するならば、伸長部分１００Ａ１は、靴５０の履き口６０を真正面に視認した際に左右一方のサイド寄り（ここでは、靴５０は右足用の靴なので、右サイドに該当する。）に位置する、アッパー１００の外縁１００Ｅ１寄りの部分である。
【００３９】
又、靴５０のアッパー１０の親指部分側に当たる部分には、伸長部分１００Ａ１と同様なストレッチ構造を有する伸長部分１００Ａ２が配設されている。即ち、伸長部分１００Ａ２は、アッパー１００のその他の周囲部分（但し、伸長部分１００Ａ１を除く。）１００Ａ２Ｐよりも、外側に向けて、より一層伸びる。図４では、この伸長部分１００Ａ２は、一点鎖線と内側の外縁１００Ｅ１とで囲まれたアッパー１０の局所的な部分である。尚、伸長部分１００Ａ２は、付随的な任意部分であり、設けられていなくても良い。
【００４０】
例えば、アッパー１００が伸縮自在なストレッチ素材より成る場合には、伸長部分１００Ａ１は、２層のストレッチ素材の甲部材より成り、アッパー１００のその他の部分（伸長部分１００Ａ２を除く。）は、３層のストレッチ素材の甲部材より成る。同様に、伸長部分１００Ａ２もまた、２層のストレッチ素材の甲部材より成る。尚、一般的には、伸長部分１００Ａ１及び伸長部分１００Ａ２はｋ（ｋ≧１の整数）層のストレッチ素材の甲部材より成り、アッパー１００のその他の部分は（ｋ＋１）層のストレッチ素材の甲部材より成る。
【００４１】
上記の２層のストレッチ素材より成るアッパー１００の伸長部分１００Ａ１，１００Ａ２の製造方法の一例は、次の通りである。
【００４２】
ここで、図５は、靴５０のアッパー（甲部）１００を成す各甲部材（何れもストレッチ素材より成る。）７０Ａ，７０Ｂ，７０Ｃを縫合してアッパー１００を形成する際の工程を模式的に示す図である。図５に於いて、第１甲部材７０Ａは最下部に配置される甲部材であり、第２甲部材７０Ｂは第１甲部材７０Ａに重ね合されて中間部に配置される甲部材であり、第３甲部材７０Ｃは第２甲部材７０Ｂの上に重ね合されて最上部に配置される甲部材である。
【００４３】
図５に於いて、先ず、第１甲部材７０Ａの上に第２甲部材７０Ｂを重畳させて、第２甲部材７０Ｂを第１甲部材７０Ａに固結させることで、２層のストレッチ素材の甲部材を形成する。次に、右足用靴又は左足用靴に対応させて、第２甲部材７０Ｂの内の左右の一方のサイドの外縁寄りであって小指部分に対応する部分を、切断除去する。これにより、図５に破線で示す様に、既述の伸長部分１００Ａ１となる領域が形成・確保される。尚、既述の任意の伸長部分１００Ａ２が設けられる場合には、同様に、第２甲部材７０Ｂの内の他方のサイドの外縁上方寄りの部分であって親指部分に対応することとなる部分を切断除去する。その上で、一部が切断除去された後の第２甲部材７０Ｂの上に、第３甲部材７０Ｃを重畳させて、第３甲部材７０Ｃを第２甲部材７０Ｂに固結させる。この後、３層のストレッチ素材の甲部材７０Ａ，７０Ｂ，７０Ｃの一端部を縫合することで、アッパー１００を形成する。この工程の完了によって、図４の伸長部分１００Ａ１，１００Ａ２が形成される。
【００４４】
尚、伸長部分１００Ａ１，１００Ａ２が形成されている領域の範囲ないしは当該領域の形状は、同部分１００Ａ１，１００Ａ２が既述した位置に配設されているならば、任意である。
【００４５】
＜靴５０の使用時の機能＞
靴５０の使用時の機能ないしは特徴点を、図４を中心に参照しつつ、以下に記載する。既述の通り、靴５０のアッパー１００は、伸長部分１００Ａ２を除く、その他の部分よりも、外側に向けて、より一層伸びるストレッチ構造を有する伸長部分１００Ａ１を備えているので、この伸長部分１００Ａ１は、既述した中敷き１０の機能と共に、内反小趾を有効に未然に防止し得る作用・効果を奏する。即ち、靴５０の中の小指部分がアッパー１００の伸長部分１００Ａ１に当接して外側へ押す場合には、小指部分からの当該押圧に応じて、伸長部分１００Ａ１は容易く外側（矢印ＡＲ２の方向）へ延びる。その結果、小指部分は、アッパー１００の裏面との当接部分から圧迫を受けることなく、横移動に応じて外側（矢印ＡＲ２の方向）へ逃げることが出来る。このため、小指部分がその動きに応じてアッパー１００側と接触して更に外側へと移動する際に、小指部分が内側に曲がって変形することが確実に防止されることとなり、伸長部分１００Ａ１は小指部分の内反小趾の発生の有効防止に格段に寄与し得る。
【００４６】
同様に、足の親指部分も、当該親指部分が横に移動して当接する伸長部分１００Ａ２の存在及びその機能により、楽に、アッパー１００の伸長部分１００Ａ２を押しつつアッパー１００の外側（矢印ＡＲ３の方向）へと移動ないしは逃げることが出来る。
【００４７】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００４８】
本考案は、中敷き及び当該中敷きを備えた靴に適用して好適なものである。この場合、中敷き及び靴に関して、短靴、深靴又は長靴等の用途に応じた靴の種類は問われないし、且つ、靴の使用者の性別（男性・女性）は問われない。
【符号の説明】
【００４９】
１０  中敷き
１０Ｔ  中敷きの爪先部
１０ＵＳ  中敷きの表面
１０ＬＳ  中敷きの裏面
１０Ａ  爪先側領域
１  小指被当接部分
２  中敷きの土踏まず部分
４  合成樹脂体（プラスチック等）
５０  靴
６０  靴の履き口
１００  アッパー（甲部）
１００Ａ１  伸長部分
１００Ａ２  伸長部分
【図１】
0003200592.tif 000003
【図２】
0003200592.tif 000004
【図３】
0003200592.tif 000005
【図４】
0003200592.tif 000006
【図５】
0003200592.tif 000007